(57)【要約】【課題】  発明の課題は、使用者が包装容器を開封して商品を取り出す際に、使用条件などの商品情報を確実に使用者に提示することができる包装容器を提案することにある。【解決手段】  本発明は、正面、背面、天面、底面、左右側面によって構成される箱状の包装容器であって、前記正面または背面に重なる表示片を前記左右側面の一方側をヒンジとして開閉可能に取り付けるとともに、前記表示片により隠れる前記正面または背面の一部に前記天面、前記底面、または前記左右側面の他方の蓋を開閉するための切取線を形成する包装容器を構成することで上記課題を解決している。【選択図】図１
2007191193.tif 000002
【特許請求の範囲】
【請求項１】
正面、背面、天面、底面、左右側面によって構成される箱状の包装容器であって、
前記正面または背面に重なる表示片を前記左右側面の一方側をヒンジとして開閉可能に取り付けるとともに、前記表示片により隠れる前記正面または背面の一部に前記天面、前記底面、または前記左右側面の他方の蓋を開閉するための切取線を形成したことを特徴とする包装容器。
【請求項２】
請求項１記載の包装容器であって、
前記正面または背面の一部には、前記切取線によって指を押し込むことで切断される押圧片が形成され、且つ、前記天面または底面には前記押圧片に重なる差込タブが形成されて、前記天面または底面の蓋は反対側のヒンジにより開閉可能に構成されたことを特徴とする包装容器。
【請求項３】
請求項１または請求項２記載の包装容器であって、
前記表示片の側辺または前記正面の側辺をヒンジとして、折り畳み片が連続しており、この折り畳み片を該ヒンジにより折り畳んで、前記表示片と前記正面との間に収納可能に構成したことを特徴とする包装容器。
【発明の詳細な説明】
【技術分野】
【０００１】
本発明は、医薬品やサプリメントなど使用上の注意事項などといった商品情報を使用者に提供する必要がある商品を包装するための包装容器であって、使用者は必ず包装容器に記載された商品情報を目にしたうえで、包装容器を開封することとなる包装容器を提供することにある。
【背景技術】
【０００２】
医薬品やサプリメントというように、使用者が服用したり皮膚に塗ったりする商品は使用条件に合わない使用を行うと商品の効果を期待できないばかりか体調を壊すなどといった問題を生じる場合がある。一方で、かかる商品ではその使用条件等をきめ細かく記載する必要があり、また法律によって商品の成分表示を義務付けられるなど、情報が多くなる傾向にあり、商品の製造販売者が使用者に充分に情報を伝え難いという問題点があった。
【０００３】
特に、使用者に提示すべき商品の情報量が多くなると、商品の包装容器の表面に充分な情報を表示することができず、折り畳んだ説明書を商品とともに包装容器の中に同梱する場合が多い。この場合、記載された情報が重要であるにもかからわず、結果として使用者が情報を充分にさらに読まないで使用してしまうという状況が生じやすくなっている。
【０００４】
これを解決する手段として、例えば次の先行技術が提案されている。
【０００５】
【特許文献１】特開平１０−２４９２３
【特許文献２】特開２００２−２１５０３７
【０００６】
これらの先行技術は、いずれも包装容器の正面を２層に構成し表面層を開閉可能に構成することで、表面層の裏側と表面層により隠れていた裏面層の表側とに使用条件などの情報を記載し、包装容器の表面を使用してより多くの情報を商品の使用者に伝達するすることができる包装容器を提案している。
【発明の開示】
【発明が解決しようとする課題】
【０００７】
しかしながら、これら先行技術の包装容器はその表面に表示できる情報は増えるものの、使用者が確実にその情報を読むことを保証する構造となっておらず、使用者によっては表面層をめくることなく、包装容器の天面もしくは底面の蓋を開けて商品を取り出してしまうということがあり得た。
【０００８】
そこで本発明の目的は、使用者が包装容器を開封して商品を取り出す際に、使用条件などの商品情報を確実に使用者に提示することができる包装容器を提案することにある。
【課題を解決するための手段】
【０００９】
本発明の包装容器は、正面、背面、天面、底面、左右側面によって構成される箱状の包装容器であって、前記正面または背面に重なる表示片を前記左右側面の一方側をヒンジとして開閉可能に取り付けるとともに、前記表示片により隠れる前記正面または背面の一部に前記天面、前記底面、または前記左右側面の他方の蓋を開閉するための切取線を形成することで上記課題を解決している。
【００１０】
また、前記正面または背面の一部には、前記切取線によって指を押し込むことで切断される押圧片が形成され、且つ、前記天面または底面には前記押圧片に重なる差込タブが形成されて、前記天面または底面の蓋は反対側のヒンジにより開閉可能に構成した包装容器としてもよい。
【００１１】
さらに、前記表示片の側辺または前記正面の側辺をヒンジとして、折り畳み片が連続しており、この折り畳み片を該ヒンジにより折り畳んで、前記表示片と前記正面との間に収納可能に構成することもできる。
【発明の効果】
【００１２】
本発明の包装容器によれば、天面または底面の蓋を開封するための切取り線は表示片により覆われている。このため、この包装容器を開封して商品を取り出そうとした場合は、必ず表示片を開かなければならず、表示片の裏側と正面または背面の表側に使用条件等の情報を記載すれば、これら情報を必ず使用者に表示することができ、使用者が商品使用上の注意点など重要事項を読み落として商品を使用してしまう危険性を確実に低減させることができる。
【００１３】
また、切取線により押圧片を形成することにより、開閉作業に優れる包装容器となるほか、差込タブが形成されることにより、残った商品を再び包装容器に入れたのち、天面または底面の蓋を再び閉めることができる。
【００１４】
さらに、表示片または正面に折り畳み片を設ければ、表示面積をさらに広くすることができ、包装容器を開く際に、より多くの商品情報を表示することができる。
【発明を実施するための最良の形態】
【００１５】
（第一実施形態）
本発明の第一実施形態を図１乃至図４に従って説明する。図１及び図２は同実施形態にかかる包装容器の構造及び使用説明図である。
【００１６】
本実施形態の包装容器Ａは、胃腸薬やかぜ薬などの分封された粉末薬の包装容器である。図１(a)に示すように、包装容器Ａは正面１、背面２、天面３、底面４、右側面５、左側面６によって構成される箱状の包装容器である。後述するように、正面１および右側面６には表示片７とこれに連続する固定片８が重なった状態となっている。
【００１７】
右側面５に重なる固定片８には間欠的に切断された切取線９が形成されており、また、表示片８の上部にはポケット25を設けて、この中に引き出し可能な吊下げタブ21を収納している。
【００１８】
次に、図１(b)以下の図面を用いて、包装容器Ａの開封作業を説明する。まず、同図に示すように、右側面５に重なった固定片８を切取線９に沿って切断する。この作業により、固定片８の一部が右側面５に残るものの、中央部分が係止片10として自由になり、もって表示片７は左側面６との接続線をヒンジ７ａとして、開くことができる。
【００１９】
表示片７の裏側および正面１の表側に、商品情報Ｘが記載されている。また、正面１には天面３とのエッジ部分から一部天面１側に張り出すように間欠的に切断された切取線11が形成され、上記張り出し部分が押圧片12となる。
【００２０】
また、表示片７の側辺はヒンジ26ａとなって折り畳み片26が連続しており、折り畳み片26を展開することができる。この折り畳み片26の表面及び裏面にも商品情報Ｘが記載される。
【００２１】
係止片10をめくった右側面５には、切込５ａが形成されている。また、係止片10の先端は尖った状態に成型されて差込部10ａとなっており、この差込部10ａを切込５ａに差し込むことで、再び、表示片７及び係止片10を正面１及び右側面５に係止することができる。
【００２２】
図２(a)に示すように、需要者は指で押圧片12を押し込むことにより、周囲の切取線11を切断する。そして、さらに指で天面３の蓋３Ａを外側に引っ張ることにより他の切取線11を切断し、もって蓋３Ａを押出片12の裏面に付いた差込タブ
３ａとともに外へ倒すことにより包装容器Ａを開封することができる。
【００２３】
図２(b)に示すように、さらに蓋３Ａの両側に付いた補助タブ13、13を両側に開き、包装された薬品Ｇを取り出すことができる。なお、底面４は、後述する構造により接着されており、こちら側の蓋４Ａ(図４参照)を開いて、包装容器Ａを開封することはできない。
【００２４】
以上説明したように、本実施形態の包装容器Ａでは、包装容器Ａを開封するための切取線11は表示片７を持ち上げなければ露出しない。このため、使用者は、表示片７を開いた際に、必ずその裏側及び包装容器正面１の表側に記載された商品情報Ｘを目にすることとなり、薬品のように商品の使用上、使用者に必ず読んでもらいたい商品情報Ｘを確実に使用者に提示することができる。
【００２５】
反対に、再び包装容器Ａを閉じるためには、補助タブ13、13を内側に折り畳んだのち、押圧片12を元の位置に戻すように蓋３Ａを閉めることができる。そして、係止片10の差込部10を右側面５の切込に差し込むように、表示片７と係止片10を固定すれば、包装容器Ａを初期状態に戻すことができる。このように、薬品Ｇを複数回に分けて使用する場合でも、開くたびに表示片７の開放を行うため、商品情報Ｘを使用毎に使用者に提示することができる。
【００２６】
図３に、本実施形態の包装容器Ａの展開図を示す。同図に示すように、本実施形態の包装容器Ａは、正面片１、右側面片５、背面片２、左側面片６を形成する紙片、表示片７、固定片８を連続させ、さらに背面片２には天面片３及び底面片４を形成する紙片を連続させて紙型から構成される。
【００２７】
正面片１には、左側面片６の裏側に接着するための接着片１ａ、さらに上下方向に、天面片３及び底面片４に接着する接着タブ15、16が一体に形成される。また、正面１の表面には、間欠的に切断されミシン目状となっている切取線11で囲まれる押圧片12が形成される。
【００２８】
右側面片５には、連続して所定長さ切断されている切込線5ａが形成され、上下方向に天面片３側の補助タブ13及び底面片４側の補助タブ14が形成されている。
【００２９】
背面片２には、上下方向に天面片３と差込タブ３ａ、底面片４と差込タブ４ａとが形成される。
【００３０】
左側面片６には、上下方向に天面片３側の補助タブ13及び底面片４側の補助タブ14が形成されている。
【００３１】
表示片７には、上下方向に折返片22及び折り畳み片26が形成されており、上部の折返片22にはさらに、前述した吊下げタブ21を伸縮片23を介して一体に形成されている。また、表示片７の上部にはポケット25が開口されている。折返片22は、表示片７の裏側に折り曲げられて接着されることで、表示片７の裏面となる。また、折り畳み片26は一方が表示片７の側片に連続してヒンジ26ａとなっている。
【００３２】
折返し片22を折り曲げる際、吊下げタブ21と伸縮片23は、さらに折曲線24により天地を逆転させることで吊下げタブ21の先端をポケット25から覗くように構成することができる（図１(a)参照）。伸縮片23の切込みは開閉可能であるため、吊下げタブ21を引っ張れば、吊下げタブ21をポケット25から引き上げて、吊下げ孔21をフックに引っ掛けて商品陳列ができ、吊下げタブ21の付勢を解けば、伸縮片23の形状復元力により吊下げタブ21はポケット25の内側に戻ることとなる。
【００３３】
固定片８には、ミシン目状となった切取線９が形成される。固定片８は組立ての際に右側面５に接着されるが、接着固定されるのは切取線９より外側の両端であって、切取線９の内側が切り離されると先端が差込部10ａとなった係止片10となる。
【００３４】
図４に、本実施形態の包装容器Ａの組立説明図を示す。図４(a)に示すように接着片１ａ(図３参照)を左側面６に接着することにより、箱型に組む。この状態では、表示片７及び固定片10がフリーとなるが、表示片７に連続する折返片22、26を内側に折り畳んで接着固定する。
【００３５】
次に、図４(b)に示すように、表示片７を正面１の上に重ねるように倒す。この際、折り畳み片26を内側に折り畳むことにより、商品情報Ｘが記載された正面１の表側、折込片22、折り畳み片26、さらに正面１に形成された押圧片12が表示片７によって隠される。反対に、表示片７の表側が表面に現れ、ポケット25及び吊下片21が表れる。なお、包装容器Ａのパッケージとしての顔は背面２(図３参照)となる。
【００３６】
そして、図４(c)に示すように、さらに固定片８を右側面に接着固定する。また、蓋３Ａ、蓋４Ａと補助タブ13、14を折込み、さらに接着タブ15、16を上から被せるように固定して、天面３及び底面４を形成して、包装容器Ａの組立てを完了する。
【００３７】
（第二実施形態）
図５及び図６に基づいて、本発明の第二実施形態を説明する。図５は第二実施形態にかかる包装容器の構造及び使用説明図である。また、図６は同包装容器の展開図である。第一実施形態と同じ構造は、同じ符号を付して説明を省略する。
【００３８】
図５(a)に示すように、包装容器Ｂは、第一実施形態の包装容器Ａと同様に、正面１に表示片７を重ねている。但し、この包装容器Ｂは、包装容器Ａと異なり、伸縮する吊下げタブ（図１参照）を有さず、代わりに、天面３の蓋３Ａの中央部を切取線33、33で切り取って倒した吊下げタブ34を有する。吊下げタブ34にはフックに引っ掛けられるように孔34ａが開口している。
【００３９】
そして、図５(b)に示すように、右側面５に重なった固定片８を切取線９に沿って切断すると、中央部分が係止片10として自由になり、もって表示片７は左側面６との接続線をヒンジ７ａとして、開くことができる。そして、さらに、表示片７と正面１との間に折り畳まれていた、正面１側の折り畳み片31と、表示片７側の折り畳み片32と、それぞれヒンジ31ａ、32ａを中心に展開させることができる。
【００４０】
折り畳み片31、32の表裏には商品情報Ｘが印刷され、商品情報Ｘが表示片７の裏側と正面１の表側にしか印刷されない場合にくらべて、３倍の商品情報Ｘを表示することができる。
【００４１】
図６に包装容器Ｂの展開図を示す。同図に示すように、正面片１には折り畳み片31がヒンジ31ａを介して連続している。この折り畳み片31は、正面１の高さよりやや短い高さを有し、折り畳んだ際に外へ露出することはないサイズに設定される。また、正面片１に連続する固定タブ15には、２本の間欠的に切断された切取り線33、33が形成されて、その間が吊下げタブ34となり、吊下げ用の孔34ａが開口している。
【００４２】
また、表示片７にも同様に、折り畳み片32がヒンジ32ａを介して連続している。この折り畳み片32は、折り畳み片31と同一のサイズとなっており、同様に、折り畳んだ際に外へ露出することはないサイズに設定される。
【００４３】
かかる展開図に示された紙片を第一実施形態と同様に組み立てることによって（図４参照）、図５に図示される包装容器Ｂが形成される。
【００４４】
（他の実施形態）
以上、本発明の実施形態を説明したが、本発明の包装容器の構成はこれに限られるものではなく、例えば、切取線を正面の天面側のみならず底面側に設けて両側を開封可能としてもよい。また、本実施形態では切取線により開放される蓋を天面としたが、右側面を開封可能な蓋体としても良い。
【００４５】
さらに、包装容器の形状を典型的な立法体としたが、本発明は左右側面と正面とが一体となったようなカマボコ形状など、多様な形状に応用可能である。また、これら実施形態では、正面と表示片との間に折り込む、折り畳み片は単純な四角形としたが、例えば漫画のキャラクターなどを印刷して、その輪郭に沿った変形の折り畳み片としてもよい。
【産業上の利用可能性】
【００４６】
本発明は、特に医薬品などの商品情報の提示が必要な商品の包装容器として利用することが可能である。
【図面の簡単な説明】
【００４７】
【図１】本発明の第一実施形態にかかる包装容器の構造及び使用説明図である。
【図２】同包装容器の構造及び使用説明図である。
【図３】同包装容器の展開図である。
【図４】同包装容器の組立説明図である。
【図５】本発明の第二実施形態にかかる包装容器の構造及び使用説明図である
【図６】同包装容器の組立説明図である。
【符号の説明】
【００４８】
Ａ  …  包装容器
Ｂ  …  包装容器
Ｘ  …  商品情報
１  …  正面(片)
２  …  背面(片)
３  …  天面(片)
３Ａ  …  蓋体
３ａ  …  差込タブ
４  …  底面(片)
４Ａ  …  蓋体
４ａ  …  差込タブ
５  …  右側面(片)
６  …  左側面(片)
７  …  表示片
８  …  固定片
９  …  切取線
10  …  係止片
11  …  切取線
12  …  押圧片
26  …  折り畳み片
31  …  折り畳み片
32  …  折り畳み片
【図１】
2007191193.tif 000003
【図２】
2007191193.tif 000004
【図３】
2007191193.tif 000005
【図４】
2007191193.tif 000006
【図５】
2007191193.tif 000007
【図６】
2007191193.tif 000008